(57)【要約】【課題】絞り羽根間の摺動音を低減した絞り装置を提供する。【解決手段】本発明の絞り装置は、互いに重なり合って内縁部（２３）により絞り開口（５１）を形成する複数の絞り羽根（２０，２０ａ，２０ｂ，２０ｃ）であって、前記各絞り羽根（２０，２０ａ，２０ｂ，２０ｃ）の重なり合う部分は、互いに反発し合うように着磁されていること、を特徴とする。【選択図】図２
2010139743.tif 000002
【特許請求の範囲】
【請求項１】
互いに重なり合って内縁部により開口を形成する複数の絞り羽根であって、
前記各絞り羽根の重なり合う部分は、互いに反発し合うように着磁されていること、
を特徴とする絞り装置。
【請求項２】
請求項１に記載の絞り装置であって、
前記絞り羽根は平板形状を有し、同じ側の面にＮ極に着磁された部分とＳ極に着磁された部分との両極を有すること、
を特徴とする絞り装置。
【請求項３】
請求項２に記載の絞り装置であって、
前記Ｎ極に着磁された部分と前記Ｓ極に着磁された部分との面積比が異なること、
を特徴とする絞り装置。
【請求項４】
請求項１〜３のいずれか１項に記載の絞り装置であって、
前記各絞り羽根は、形成する前記開口の大きさに関わらず、前記重なり合う部分が互いに反発し合うように着磁されていること、
を特徴とする絞り装置。
【請求項５】
請求項１〜４のいずれか１項に記載の絞り装置であって、
前記開口が設けられた開口部材と、
前記開口部材に対して回転可能であって、カム溝が設けられたカム部材と、を備え、
前記複数の絞り羽根はそれぞれ、前記開口部材に対して各一軸を中心として回転可能で、且つ前記カム部材に設けられた前記カム溝に沿って移動するカムを有し、前記カム部材の前記開口部材に対する回転に伴い、前記開口部材に対して前記各一軸を中心として回転し、且つ前記カムが前記カム溝に沿って移動することにより、前記開口の径を変更するものであって、
前記開口部材と前記カム部材との少なくとも一方が着磁していること、を特徴とする絞り装置。
【請求項６】
請求項５に記載の絞り装置であって、
前記開口部材と前記カム部材との少なくとも一方の、前記絞り羽根に対向する面は、該面に最も直近に対向配置されている絞り羽根の着磁面の極性と反対の極性が着磁されていること、を特徴とする絞り装置。
【発明の詳細な説明】
【技術分野】
【０００１】
本発明は、撮影装置に設けられた絞り装置に関するものである。
【背景技術】
【０００２】
撮影装置は、光量を調整するための絞り装置を備えるものがある。この絞り装置は、絞り羽根や回転部材を備え、絞り装置の駆動時において、これらの回転部材や絞り羽根の駆動音を発生する。近年、このような絞り装置を備えたカメラ等の撮影装置において、動画撮影が可能なものが開発されているが、動画を撮影する場合、駆動音が動画とともに取り込まれ、動画再生時にこの音も再生される。撮影者によっては、この駆動音を騒音と感じる撮影者もいる。このため、絞り装置の静音化対策がなされている撮影装置がある（例えば、特許文献１参照）。
【特許文献１】特開２００５−９９１５５号公報
【発明の開示】
【発明が解決しようとする課題】
【０００３】
上記従来技術は、絞りを駆動する回転部材の静音化対策に関する技術であり、絞り羽根自体の作動で発生する音の静音化については絞り羽根の材質や表面処理によって対策が講じられてきたと記載されているのみである。しかし、絞り羽根の材質や表面処理による絞り羽根間の摺動音の静音化には限界があった。
【０００４】
本発明の課題は、絞り羽根間の摺動音をさらに低減した絞り装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、互いに重なり合って内縁部（２３）により絞り開口（５１）を形成する複数の絞り羽根（２０，２０ａ，２０ｂ，２０ｃ）であって、前記各絞り羽根（２０，２０ａ，２０ｂ，２０ｃ）の重なり合う部分は、互いに反発し合うように着磁されていること、を特徴とする絞り装置（１）である。
請求項２に記載の発明は、請求項１に記載の絞り装置（１）であって、前記絞り羽根（２０，２０ａ，２０ｂ，２０ｃ）は平板形状を有し、同じ側の面にＮ極に着磁された部分とＳ極に着磁された部分との両極を有すること、を特徴とする絞り装置（１）である。
請求項３に記載の発明は、請求項２に記載の絞り装置（１）であって、前記Ｎ極に着磁された部分と前記Ｓ極に着磁された部分との面積比が異なること、を特徴とする絞り装置（１）である。
請求項４に記載の発明は、請求項１〜３のいずれか１項に記載の絞り装置（１）であって、前記各絞り羽根（２０，２０ａ，２０ｂ，２０ｃ）は、形成する前記絞り開口（５１）の大きさに関わらず、前記重なり合う部分が互いに反発し合うように着磁されていること、を特徴とする絞り装置（１）である。
請求項５に記載の発明は、請求項１〜４のいずれか１項に記載の絞り装置（１）であって、前記絞り開口（５１）が設けられた開口部材（４）と、前記開口部材（４）に対して回転可能であって、カム溝（５２）が設けられたカム部材（５）と、を備え、前記複数の絞り羽根（２０，２０ａ，２０ｂ，２０ｃ）はそれぞれ、前記開口部材（４）に対して各一軸を中心として回転可能で、且つ前記カム部材（５）に設けられた前記カム溝（５２）に沿って移動するカム（２２）を有し、前記カム部材（５）の前記開口部材（４）に対する回転に伴い、前記開口部材（４）に対して前記各一軸を中心として回転し、且つ前記カム（２２）が前記カム溝（５２）に沿って移動することにより、前記絞り開口（５１）の径を変更するものであって、前記開口部材（４）と前記カム部材（５）との少なくとも一方が着磁していること、を特徴とする絞り装置（１）である。
請求項６に記載の発明は、請求項５に記載の絞り装置（１）であって、前記開口部材（４）と前記カム部材（５）との少なくとも一方の、前記絞り羽根（２０，２０ａ，２０ｂ，２０ｃ）に対向する面は、該面に最も直近に対向配置されている絞り羽根（２０，２０ａ，２０ｂ，２０ｃ）の着磁面の極性と反対の極性が着磁されていること、を特徴とする絞り装置（１）である。
なお、符号を付して説明した構成は、適宜改良してもよく、また、少なくとも一部を他の構成物に代替してもよい。
【発明の効果】
【０００７】
本発明によれば、絞り羽根間の摺動音を低減した絞り装置を提供することができる。
【発明を実施するための最良の形態】
【０００８】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
図１は、本発明の一実施形態の絞り装置１を備えたレンズ鏡筒２の内部を示す断面図、図２は、絞り装置１を撮影者側（Ｚマイナス側）からに見た分解斜視図、図３は、絞り装置１を被写体側（Ｚプラス側）から見た分解斜視図である。
【００１０】
図１に示すように、レンズ鏡筒２は、レンズ２０１を保持するレンズ保持枠２０２と、レンズ保持枠２０２のＺマイナス側の端部に設けられたレンズマウント２０３とを備える。レンズマウント２０３は、図示しないカメラに対してレンズ鏡筒２を装着するための部材である。また、レンズ保持枠２０２の内側には、環状の取付部材２０７によって絞り装置１が取り付けられている。
【００１１】
絞り装置１は、被写体光の光量を調節する部材であり、レンズ保持枠２０２と取付部材２０７とに挟まれることにより定位置に固定された開口部材４と、開口部材４よりもＺマイナス側で取付部材２０７に回転可能に取り付けられているカム部材５と、開口部材４とカム部材５との間に配置された複数（本実施形態では、７枚）の絞り羽根２０とを備えている。取付部材２０７の後側（Ｚマイナス側）には、ネジ２０８及びブラケット２０９によってレンズマウント２０３に固定されたステッピングモータ６が配置されている。ステッピングモータ６の回転軸には、ピニオンギア７が取り付けられ、ピニオンギア７がカム部材５の外周縁に形成されたセグメントギア５３に噛合している。ステッピングモータ６が正逆方向に回転することにより、カム部材５が正逆方向にパルス状に回転する。そして、カム部材５が回転することによって、絞り羽根２０が開閉して被写体光の絞り動作が行われる。
【００１２】
図２及び図３に示すように、開口部材４は、円環状の金属板からなり、その中心部分には、円形の開口部４１が形成されている。開口部４１の周囲には、それぞれの絞り羽根２０を支持する複数（７個）の支持孔４２が貫通形成されている。支持孔４２は、円周状に等間隔で形成されている。開口部材４の外周側には、一対の固定用凹部４３が形成されている。固定用凹部４３は、レンズ保持枠２０２または取付部材２０７に形成された固定用凸部（図示しない）が嵌り込むものであり、この嵌り込みによって開口部材４が位置決め状態で固定される。
【００１３】
カム部材５は、開口部材４と同様に、円環状の金属板からなり、その中心部分には、絞り開口５１が形成されている。絞り開口５１の周囲には、絞り羽根２０を開閉動作させるための複数のカム溝５２が貫通状態で形成されている。カム溝５２は円周上に等間隔で形成され、上述したセグメントギア５３はカム部材５の外周縁に形成されている。
【００１４】
絞り羽根２０は、アルミニウム等の軽量金属によって薄板状に形成されている。絞り羽根２０は、内縁部２３が円弧状に湾曲し、この内縁部２３が内方側、すなわち開口部材４の開口部４１及びカム部材５の絞り開口５１に臨むように配置される。そして、絞り羽根２０が円周状に並べられた状態で、全て（７枚）の絞り羽根２０の内縁部２３によって円形の開口２６（図１参照）が形成される。この開口２６がカメラの絞りの大きさとなる。絞り羽根２０においては、長さ方向の一側の根元部２４が幅広となっており、この根元部２４から他側の先端部２５に向かうにつれてなだらかに幅が漸減する形状に形成されている。
【００１５】
幅広となっている絞り羽根２０の根元部２４には、開口部材４の支持孔４２に挿入される支持突起２１が一方の面に形成され、他方の面には、カム部材５のカム溝５２に挿入されるカムフォロア２２が突出するように形成されている。支持突起２１が開口部材４の支持孔４２に挿入されることにより、絞り羽根２０が開口部材４に支持される。また、カムフォロア２２はカム部材５のカム溝５２に挿入され、この挿入状態でカム部材５が回転することにより、カムフォロア２２がカム溝５２内をカム溝５２の長さ方向に沿って摺動する。これにより、絞り羽根２０が支持突起２１を中心に回転して内縁部２３によって形成される開口２６の大きさが調整される。
【００１６】
本実施形態において、絞り羽根２０、開口部材４及びカム部材５は着磁されている。以下、この着磁構造を図２〜図７により具体的に説明する。図２〜図７においては、説明をわかり易くするために、７枚の絞り羽根２０のうち、隣接している３枚の絞り羽根２０ａ，２０ｂ，２０ｃのみ図示する。
【００１７】
図４は、開放状態における絞り羽根２０ａ，２０ｂ，２０ｃを被写体側（開口部材４側）から開口部材４を透視して絞り羽根２０ａ，２０ｂ，２０ｃを見たように示してあり、図中、開口部材４は二点鎖線で示す。図５は、開放状態における絞り羽根２０ａ，２０ｂ，２０ｃを撮影者側（カム部材５側）からカム部材５を透視して絞り羽根２０ａ，２０ｂ，２０ｃを見たように示してあり、図中、カム部材５を二点鎖線で示す。
【００１８】
図６は、小絞り状態における絞り羽根２０ａ，２０ｂ，２０ｃを被写体側（開口部材４側）から見た図である。図６も図４と同様に、開口部材４を透視して絞り羽根２０ａ，２０ｂ，２０ｃを見たように示してあり、図中、開口部材４を二点鎖線で示す。図７は、小絞り状態における絞り羽根２０ａ，２０ｂ，２０ｃを撮影者側（カム部材５側）から見た図である。図７も図５と同様に、カム部材５を透視して絞り羽根２０ａ，２０ｂ，２０ｃを見たように示してあり、図中、カム部材５を二点鎖線で示す。
【００１９】
図４及び図６に示すように、それぞれの絞り羽根２０ａ，２０ｂ，２０ｃの被写体側面（以下、Ａ面と記載する）に、Ｓ極及びＮ極が隣り合わせに位置するように着磁されている。着磁方法は、例えば、機械加工等で加工した鉄心に電線を巻いて作成した着磁ヨークを用いる方法等、何れの方法であってよい。このように着磁されたＳ極及びＮ極は、それぞれの絞り羽根２０ａ，２０ｂ，２０ｃの内方側である内縁部２３側に偏在するように形成されている。また、Ｓ極は各絞り羽根２０ａ，２０ｂ，２０ｃの根元部２４側に位置し、Ｎ極は先端部２５側に位置しており、Ｎ極に比べてＳ極の方が幅寸法及び長さ寸法が大きくなるように形成されている。従って、各絞り羽根２０ａ，２０ｂ，２０ｃのＡ面においては、Ｓ極の面積がＮ極の面積よりも広くなっている。
【００２０】
図５及び図７に示すように、撮影者側面であるＡ面の裏面（以下、Ｂ面と記載する）において、それぞれの絞り羽根２０ａ，２０ｂ，２０ｃのＡ面におけるＳ極に対応した部分にＮ極が着磁され、Ａ面におけるＮ極に対応した部分にＳ極が着磁されている。すなわち、Ｂ面では、Ｎ極が根元部２４側に位置し、Ｓ極が先端部２５側に位置している。Ｂ面においては、それぞれの絞り羽根２０ａ，２０ｂ，２０ｃのＮ極がＳ極に比べて幅寸法及び長さ寸法が大きくなっており、Ｎ極の面積がＳ極の面積よりも広くなっている。
【００２１】
上述した着磁関係とすることにより、例えば図４及び図５に示す開放状態において、絞り羽根２０ｂのＡ面のＮ極に対して絞り羽根２０ｃのＢ面のＮ極が常に臨んでいる。また、図６及び図７に示す小絞り状態おいても、絞り羽根２０ｂのＡ面のＮ極に対して絞り羽根２０ｃのＢ面のＮ極が常に臨んでいる。
【００２２】
これにより、絞りが開放状態である図４及び図５及び小絞り状態である図６及び図７のいずれにおいても、さらには、これらの中間の状態においても、同極間の斥力によって絞り羽根２０ａ，２０ｂ，２０ｃが相互に反発し合う。このため、隣接する絞り羽根２０ａ，２０ｂ，２０ｃが離反して絞り羽根同士が離間する。従って、絞り羽根２０ａ，２０ｂ，２０ｃが接触することがなく、絞り調整の際に絞り羽根２０ａ，２０ｂ，２０ｃが回転する際の摺動に起因した作動音の発生が低減される。
【００２３】
なお、隣接している絞り羽根２０ａ，２０ｂ，２０ｃにおいて、着磁されている部分と、着磁されていない部分が重なり合い、絞り羽根２０ａ，２０ｂ，２０ｃにおいて互いに吸引力を発生している部分もある。しかし、着磁されている部分同士の反発力は、着磁されている部分と着磁されていない部分との間の吸引力と比べて大きいため、絞り羽根２０全体としては、反発力が生じる。
【００２４】
また、本実施形態において、開口部材４及びカム部材５も着磁されている。開口部材４においては、絞り羽根２０ａ，２０ｂ，２０ｃのＡ面に臨む面（以下、Ｃ面と記載する）にＳ極が着磁されている（図２参照）。Ｓ極は、開口部材４における開口部４１から支持孔４２にかけた部分にリング状となるように形成されている。
【００２５】
図４に示す開放状態において、リング状に形成されたＳ極は、絞り羽根２０ａ，２０ｂ，２０ｃのＡ面に形成されたＳ極に臨んでいるため、絞り羽根２０ａ，２０ｂ，２０ｃと開口部材４とが反発し合う。このため、開口部材４と絞り羽根２０ａ，２０ｂ，２０ｃとが非接触状態となる。これにより、絞り調整の際に絞り羽根２０ａ，２０ｂ，２０ｃが回転しても、開口部材４に対して摺動することがなく、摺動に起因した作動音の発生が低減される。
【００２６】
また、この場合も、図４に示すように、絞り羽根２０においてＳ極に着磁されている部分の中で、開口部材４におけるＳ極に着磁されているリング状の部分からはみ出している部分が生じる。この部分においては絞り羽根２０と開口部材４とが互いに吸引力を発生している。また、絞り羽根の先端のＮ極と開口部材４のＳ極に着磁されたリング状の部分との間でも吸引力を生じている。しかし、全体としては、反発力が大きいため、絞り羽根２０と開口部材４とは互いに離間する。
【００２７】
図６に示す小絞り状態においても、開口部材４にリング状に形成されたＳ極は、絞り羽根２０ａ，２０ｂ，２０ｃのＡ面に形成されたＳ極に臨んでいるため、絞り羽根２０ａ，２０ｂ，２０ｃと開口部材４とが反発し合う。このため、開口部材４と絞り羽根２０ａ，２０ｂ，２０ｃとが非接触状態となる。これにより、絞り調整の際に絞り羽根２０ａ，２０ｂ，２０ｃが回転しても、開口部材４に対して摺動せず、摺動に起因した作動音の発生が防止される。
【００２８】
また、この場合も、図６に示すように、絞り羽根２０において着磁されていない部分の中で、開口部材４におけるＳ極に着磁されているリング状の部分と重なる部分が生じる。この部分においては絞り羽根２０と開口部材４とが互いに吸引力を発生している。しかし、全体としては、反発力が大きく、絞り羽根２０と開口部材４とは互いに離間する。
【００２９】
カム部材５においては、絞り羽根２０ａ，２０ｂ，２０ｃのＢ面に臨む面（以下、Ｅ面と記載する）にＳ極が着磁されている（図３参照）。Ｓ極は、それぞれのカム溝５２の内側部分から絞り開口５１に向かって延びる４角形となるように形成されている。このような位置に形成されたＳ極は、例えば、図５の開放状態において、絞り羽根２０の先端部２５側のＳ極に臨んでいる。このように同極が臨むことにより、絞り羽根２０ａ，２０ｂ，２０ｃとカム部材５とが反発し合うため、カム部材５と絞り羽根２０ａ，２０ｂ，２０ｃとが非接触となる。これにより、絞り調整の際に絞り羽根２０ａ，２０ｂ，２０ｃが回転しても、カム部材５に対して摺動することがなく、摺動に起因した作動音の発生が低減される。
【００３０】
図７に示す小絞り状態においては、各絞り羽根２０ａ，２０ｂ，２０ｃの根元部２４のＮ極とカム部材５のＳ極とが一部重なる。しかし、小絞り状態においては、根元部２４の移動は少なく、摺動に起因した作動音の発生は小さいため、影響は小さい。
【００３１】
以上、本実施形態によると、以下の効果を有する。
（１）隣接している絞り羽根２０ａ，２０ｂ，２０ｃの相互の対向部分に同極の着磁がなされているため、絞り羽根２０ａ，２０ｂ，２０ｃが相互に反発し合って、隣接する絞り羽根２０ａ，２０ｂ，２０ｃ同士が離間する。このため、絞り動作の際に絞り羽根２０ａ，２０ｂ，２０ｃが回転しても摺動に起因した作動音をなくすことができる。
（２）開口部材４と絞り羽根２０ａ，２０ｂ，２０ｃとの対向部分に同極が対向するように着磁されているため、開口部材４と絞り羽根２０ａ，２０ｂ，２０ｃとが接触することを抑制でき、絞り羽根２０ａ，２０ｂ，２０ｃが回転してもこれらの間から作動音をなくすことができる。
（３）カム部材５と絞り羽根２０ａ，２０ｂ，２０ｃとの対向部分に同極が対向するように着磁されているため、カム部材５と絞り羽根２０ａ，２０ｂ，２０ｃとが接触することを抑制でき、これらの間から作動音をなくすことができる。
【００３２】
（変形形態）
以上、説明した実施形態に限定されることなく、以下に示すような種々の変形や変更が可能であり、それらも本発明の範囲内である。
（１）本実施形態では、絞り羽根２０を７枚にしているが、これに限らず、７枚以外の枚数でもよい。
（２）本実施形態では、開口部材４における絞り羽根２０ａ，２０ｂ，２０ｃとの対応部分を着磁しているが、これに限らず、開口部材４を着磁しない構造であってもよい。
（３）本実施形態では、カム部材５における絞り羽根２０ａ，２０ｂ，２０ｃとの対応部分を着磁しているが、これに限らず、カム部材５に着磁しない構造であってもよい。
なお、実施形態及び変形形態は、適宜組み合わせて用いることもできるが、詳細な説明は省略する。また、本発明は以上説明した実施形態によって限定されることはない。
【図面の簡単な説明】
【００３３】
【図１】本発明の第１実施形態の絞り装置が組み込まれたレンズ鏡筒の断面図である。
【図２】絞り装置を撮影者側から見た分解斜視図である。
【図３】絞り装置を被写体側から見た斜視図である。
【図４】絞りの開放状態を示す開口部材側からの正面図である。
【図５】絞りの開放状態を示す裏面図である。
【図６】絞りが小絞り状態のときの開口部材側からの正面図である。
【図７】絞りが小絞り状態のときの裏面図である。
【符号の説明】
【００３４】
１：絞り装置、４：開口部材、５：カム部材、２０，カム溝：絞り羽根、２２：カムフォロア、２３：内縁部、５１：絞り開口、５２：カム溝
【図１】
2010139743.tif 000003
【図２】
2010139743.tif 000004
【図３】
2010139743.tif 000005
【図４】
2010139743.tif 000006
【図５】
2010139743.tif 000007
【図６】
2010139743.tif 000008
【図７】
2010139743.tif 000009